(57)【要約】【課題】  複数のノズルを備えながら、装置の小型化や女性局部の洗浄についての不安感の解消を図る。【解決手段】  衛生洗浄装置２００は、肛門ノズル２０１とビデノズル２１０とを備える。肛門ノズル２０１は、便器後方に斜めに傾斜配置され、肛門洗浄の際に洗浄水を肛門に向けて斜め後方から噴出する。ビデノズル２１０は、便器ボール部内部において回動するよう構成され、便器ボール部内の後方側周縁付近の待機位置ＴＰとその前方の第１ビデ洗浄位置ＢＰ１、第２ビデ洗浄位置ＢＰ２に位置するようにされている。そして、洗浄水噴出部２１３は、これら洗浄位置において、洗浄水を基部２１１に向けて噴出する。【選択図】  図８
2005282357.tif 000002
【特許請求の範囲】
【請求項１】
便座に着座した人体の局部を洗浄する衛生洗浄装置において、
肛門洗浄の際に洗浄水を肛門に向けて斜め後方から噴出する第１ノズルと、
女性局部洗浄の際に洗浄水を噴出するノズルであって、女性局部を斜め下方前方から指向し、女性局部を第１洗浄目標とする前方側位置と、女性局部から肛門に至るまでの人体表皮部分を下方後方から指向し、該人体表皮部分を第２洗浄目標とする後方側位置との間を移動可能とされた第２ノズルとを備える
ことを特徴とする衛生洗浄装置。
【請求項２】
請求項１記載の衛生洗浄装置であって、
前記前方位置は、前記前方位置と前記第１洗浄目標とを結ぶ線分と女性局部付近の垂線とのなす角が約３０〜３９度となる位置とされ、
前記後方位置は、前記後方位置と前記第２洗浄目標とを結ぶ線分と前記垂線とのなす角が約３０〜３９度となる位置とされている、衛生洗浄装置。
【請求項３】
請求項１または請求項２記載の衛生洗浄装置であって、
前記第２ノズルを女性局部洗浄時に前記前方側位置と前記後方側位置との間に亘って移動制御する移動手段を有する、衛生洗浄装置。
【請求項４】
請求項３記載の衛生洗浄装置であって、
前記移動手段は、前記第２ノズルを往復移動制御する、衛生洗浄装置。
【請求項５】
請求項３または請求項４記載の衛生洗浄装置であって、
前記前方側位置を調整する手段と前記後方側位置を調整する手段のいずれかを有する、衛生洗浄装置。
【請求項６】
請求項１ないし請求項５いずれか記載の衛生洗浄装置であって、
前記移動手段は、女性局部洗浄開始当初の所定時間の間に亘っては、前記第２ノズルを前記前方側位置に止め置いてから、前記第２ノズルを移動制御する、衛生洗浄装置。
【発明の詳細な説明】
【技術分野】
【０００１】
本発明は、便座に着座した人体の局部に洗浄水を噴出して局部を洗浄する衛生洗浄装置に関する。
【背景技術】
【０００２】
この種の衛生洗浄装置では、一般に、肛門洗浄用の洗浄水噴出と女性局部洗浄用の洗浄水噴出ができるようにされている。そして、単一のノズルに肛門洗浄用と女性局部洗浄用の複数流路を形成した形態（単一ノズル形態）のものや、肛門洗浄用のノズルと女性局部洗浄用のノズルの複数ノズルを並列設置した形態（複数ノズル形態）のものが提案されている。
【発明の開示】
【発明が解決しようとする課題】
【０００３】
単一ノズル形態では、ノズルが単一であるため、ノズルを含むノズル装置、延いては衛生洗浄装置全体としての小型化ができるという利点がある。ところで、近年では、ハード・ソフトといった異なる洗浄感での局部洗浄が実行できるよう多機能化を図ることが要望されつつある。これには、ハード感用・ソフト感用の流路を肛門洗浄と女性局部洗浄で別々に用意する必要がある。しかし、単一のノズルでは、単一ノズル内に形成できる流路の数が制約を受けるので、肛門洗浄・女性局部洗浄についての洗浄機能の多機能化に欠けていた。
【０００４】
また、単一ノズル形態では、肛門洗浄時に噴出した洗浄水がノズルに跳ね返り、この跳ね返り洗浄水が女性局部洗浄用の噴出口周辺に付着する。この付着跳ね返り洗浄水による汚れは、局部洗浄に先だって噴出口周辺に洗浄水をかけるいわゆるセルフクリーニングにて除去されるようにされている。しかし、このセルフクリーニングが念入りに実施されていても、肛門洗浄時の跳ね返り洗浄水が付着した噴出口から女性局部に洗浄水の噴出を受けることに変わりはない。よって、女性局部というきわめてデリケートな場所に洗浄水の噴出を受ける都合上、この女性に衛生性に欠けるという不安感を抱かせるおそれがあった。
【０００５】
一方、複数ノズル形態では、肛門洗浄用ノズルと女性局部洗浄用ノズルの各ノズルでの流路形成で肛門洗浄・女性局部洗浄についての洗浄機能の多機能化を図ることができる。また、肛門洗浄時には、女性局部洗浄用ノズルを衛生洗浄装置本体に位置させれば、肛門洗浄時の跳ね返り洗浄水を当該ノズルの噴出口に比較的付着させることがない。つまり、複数ノズル形態を採ることで、単一ノズル形態での上記した問題はある程度解決できる。しかし、複数ノズルが単に並列設置してあるに過ぎないために、小型化が阻害されていた。また、複数ノズル形態では、洗浄時にノズルを洗浄位置に移動させるための駆動系をノズルごとに要するので、駆動源を含めたノズル装置としての小型化も十分ではなかった。なお、肛門洗浄のみを目的として例えばハード感用肛門洗浄ノズルとソフト感用肛門洗浄ノズルを並列設置したものであっても、小型化の問題があることに変わりはない。
【０００６】
女性局部の洗浄は、生理時の出血や組織老廃物を噴出洗浄水で洗い流し、女性局部を清潔に維持するものであるが、以下のような理由からこの清潔性に対する不安感を抱かせるおそれがあった。生理時が出血量や組織老廃物量は、一律ではなくその都度変化したり個人ごとに異なり、この出血や組織老廃物が女性局部周辺を越える範囲の表皮にまで付着することがある。このような事態に至ると、女性局部に洗浄水を噴出するだけでは洗浄が不十分となって清潔性に欠けるという不安感を抱かせるおそれがあった。なお、女性局部洗浄時に噴出洗浄水の当たる範囲を変えることができるものも提案されているが、このものは、女性局部の個人差に対応できるに過ぎず、女性局部周辺を越える表皮範囲までの洗浄を意図するものではなかった。
【０００７】
本発明は、上記課題を解決するためになされ、複数のノズルを備えながら、装置の小型化や女性局部の洗浄についての不安感の解消を図ることをその目的とする。
【課題を解決するための手段】
【０００８】
かかる課題の少なくとも一部を解決するため、本発明の衛生洗浄装置は、以下の構成を有する。即ち、
便座に着座した人体の局部を洗浄する衛生洗浄装置において、
肛門洗浄の際に洗浄水を肛門に向けて斜め後方から噴出する第１ノズルと、
女性局部洗浄の際に洗浄水を噴出するノズルであって、女性局部を斜め下方前方から指向し、女性局部を第１洗浄目標とする前方側位置と、女性局部から肛門に至るまでの人体表皮部分を下方後方から指向し、該人体表皮部分を第２洗浄目標とする後方側位置との間を移動可能とされた第２ノズルとを備える
ことを特徴とする。
【０００９】
上記構成を有する本発明の衛生洗浄装置では、肛門洗浄の際に第１ノズルから肛門に向けて斜め後方から洗浄水を噴出する。そして、女性局部洗浄にはこの第１ノズルとは別の第２ノズルを用いるので、この第２ノズルを肛門洗浄時には跳ね返り洗浄水がかからない位置に退避させておくことができる。この点から、女性局部洗浄時の不安感を解消することができる。また、第２ノズルによる女性局部洗浄時には、第１洗浄目標である女性局部はもとより、第２洗浄目標である女性局部以外の人体表皮部分にまで洗浄水を噴出して、生理時の出血や組織老廃物をこの噴出洗浄水で洗い流す。よって、出血や組織老廃物が付着することがある広い範囲を洗浄できるので、この点からも、女性局部洗浄時の不安感を解消することができる。
【００１０】
この本発明の衛生洗浄装置は、以下の態様を採ることもできる。即ち、  前記前方位置は、前記前方位置と前記第１洗浄目標とを結ぶ線分と女性局部付近の垂線とのなす角が約３０〜３９度となる位置とされ、
前記後方位置は、前記後方位置と前記第２洗浄目標とを結ぶ線分と前記垂線とのなす角が約３０〜３９度となる位置とされている。
こうすれば、第２ノズルを、女性局部を洗浄目標とする前方側位置と人体表皮部分を洗浄目標とする後方側位置に確実に位置させることができる。
【００１１】
前記第２ノズルを女性局部洗浄時に前記前方側位置と前記後方側位置との間に亘って移動制御する移動手段を有する、ものとすることができる。
こうすれば、移動手段にて第２ノズルを移動させながら上記範囲に亘って洗浄水を噴出できる。また、移動速度を調整したりして、上記範囲での洗浄を念入りに行うことができる。
【００１２】
また、前記移動手段は、前記第２ノズルを往復移動制御する、ものとすることができる。こうすれば、より念入りに洗浄できる。
更に、前記前方側位置を調整する手段と前記後方側位置を調整する手段のいずれかを有する、ものとすることができる。こうすれば、第２ノズルによる女性局部洗浄の洗浄範囲を女性が所望する洗浄範囲とすることができる。
また、前記移動手段は、女性局部洗浄開始当初の所定時間の間に亘っては、前記第２ノズルを前記前方側位置に止め置いてから、前記第２ノズルを移動制御する、ものとすることができる。こうすれば、出血や組織老廃物がもっとも多く付着する女性局部を最初に噴出洗浄水で洗浄できる。
【発明を実施するための最良の形態】
【００１３】
次に、本発明に係る衛生洗浄装置の実施の形態を実施例に基づき説明する。まず、参考例につき説明する。この参考例は、洗浄位置にあるノズル（第１ノズル、第２ノズル）を、その進退方向に沿ったＸ方向と、これと直行するＹ方向に沿って調整可能とされている。図１は、参考例の衛生洗浄装置４０Ａを便器と共に示す概略斜視図、図２は、この参考例の構成を表すブロック図、図３は、ノズルの洗浄位置を便器左右方向に対して調整するノズルサブ駆動ユニット１７０の概略構成図、図４は、このノズルサブ駆動ユニット１７０による洗浄位置の調整の様子を説明する説明図である。
【００１４】
図示するように、変形例の衛生洗浄装置４０Ａは、ノズルユニット５０やノズル駆動ユニット５４、制御ユニット５８等を有する。そして、本体カバー４６の側方袖部前方に、ノズルＸＹ調整操作部１６０を有する。このノズルＸＹ調整操作部１６０には、図１に示すＸ方向（ノズル前後方向）とＹ方向（便器左右方向）に傾斜操作されるジョイスティック１６１が配設されている。このジョイスティック１６１は、便座に着座した使用者が無理なく把持できるようにされており、その先端には、局部洗浄時の洗浄水噴出量（水勢）の調整の際に親指で押圧操作されるトリガー１６２が設けられている。
【００１５】
ノズルＸＹ調整操作部１６０は、図２に示すように、制御ユニット５８と接続されている。そして、このノズルＸＹ調整操作部１６０は、ジョイスティック１６１のＸ方向傾斜操作量（ノズル前方方向を＋Ｘ方向）、Ｙ方向傾斜操作量（ノズルＸＹ調整操作部１６０側を＋Ｙ方向）と、トリガー１６２の押圧操作量をそれぞれ電気信号に変換して出力するようにされている。制御ユニット５８は、このノズルＸＹ調整操作部１６０からの信号を入力してノズル駆動ユニット５４やノズルサブ駆動ユニット１７０を駆動制御し、ノズルの洗浄位置調整を行う。また、給水ユニット５２を制御して水勢調整を行う。その詳細については後述する。
【００１６】
ノズルサブ駆動ユニット１７０は、上記したノズルＸＹ調整操作部１６０による洗浄位置のＹ方向調整を可能とすべく、以下の構成を有する。図３に示すように、ノズルサブ駆動ユニット１７０は、ノズル駆動ユニット５４と一体のノズルユニット５０を下方から支持するよう、本体ベース４２に配設されており、ノズルユニット支持部１７１と、Ｙ方向調整駆動源のモータ１７２を有する。ノズルユニット支持部１７１は、便器ボール部４１ａの側に凹所１７３を有する。ノズルユニット５０は、下方に延びた支持プレート５１を有し、上記の凹所１７３に、下端が球面状とされた支持駒５１ａを嵌め込ませている。よって、ノズルサブ駆動ユニット１７０は、支持駒５１ａを回転中心とし図３の紙面と交差する方向に沿って回動自在にノズルユニット５０をその下方から支持する。なお、支持プレート５１の後方側にあっても、図示しない支持ブロックによりノズルユニット５０は支持されている。
【００１７】
支持プレート５１の後方下端部には、図中Ｇ方向矢視に示すように、支持駒５１ａを中心とする基準ピッチ円でギヤ５１ｂが形成されている。モータ１７２は、正逆回転するステッピングモータとされており、このギヤ５１ｂと噛み合うドライブギヤ部１７２ａを有するギヤプレート１７２ｃを回転駆動する。従って、モータ１７２が正逆回転すると、図４に示すように、肛門洗浄位置ＫＰにある第１ノズル３１は支持駒５１ａを中心に左右に振られてその位置を変え、これにより洗浄位置の左右調整がなされる。
【００１８】
次に、この参考例における局部洗浄の様子について説明する。この参考例にあっても、肛門洗浄ボタンが操作されると、肛門洗浄位置ＫＰへのノズル進出、洗浄水給水を行って肛門洗浄を実施する。しかし、この洗浄動作の間に、制御ユニット５８が所定時間ごとにジョイスティック１６１やトリガー１６２の操作状況を割り込み検知し、その結果に応じて以下のようにして洗浄位置調整や水勢調整を行う。
【００１９】
図３，図４に示す正規の肛門洗浄位置ＫＰにて洗浄水を噴出して肛門洗浄を実施しているときに、ジョイスティック１６１が＋Ｘ方向（図１参照）に操作されたとする。制御ユニット５８は、このスティック操作量に応じてノズル駆動ユニット５４を駆動制御し、第１ノズル３１を図３に示す肛門洗浄位置ＫＰ（＋Ｘ）まで前進移動させる。これにより、第１ノズル３１は、この移動後の肛門洗浄位置ＫＰ（＋Ｘ）で洗浄水を噴出して肛門洗浄を継続する。ジョイスティック１６１が−Ｘ方向に操作された場合も同様である。また、ジョイスティック１６１が＋Ｙ方向（図１参照）に操作されたとすると、制御ユニット５８は、このスティック操作量に応じてノズルサブ駆動ユニット１７０を駆動制御し、第１ノズル３１を図４に示す肛門洗浄位置ＫＰ（＋Ｙ）に移動する。これにより、第１ノズル３１は、この移動後の肛門洗浄位置ＫＰ（＋Ｙ）で洗浄水を噴出して肛門洗浄を継続する。ジョイスティック１６１が−Ｙ方向に操作された場合も同様である。なお、ビデ洗浄ボタンが操作されてビデ洗浄を実施しているときも同様である。
【００２０】
一方、局部洗浄実施中に、トリガー１６２が押圧操作されると、制御ユニット５８は、トリガー操作量に応じて給水ユニット５２を制御し、第１ノズル３１への洗浄水給水量を段階的に調整する。これにより、洗浄水水勢が調整される。なお、制御ユニット５８は、トリガー１６２の押圧操作の様子に応じて水勢の増大調整か減少調整かを判断するようにされている。例えば、トリガー１６２が長く押圧されれば、増大調整であるとして、給水量を１段階増大調整する。トリガー１６２が短時間のうちに２度繰り返し押圧されれば、減少調整であるとして、給水量を１段階減少調整する。
【００２１】
以上説明した参考例によれば、局部洗浄位置をノズル前後方向と左右方向にきめ細かく調整でき好ましい。また、便座に着座した使用者の降ろした手が自然に届く便器側方位置にジョイスティック１６１を設けたので、無理な姿勢を採ることなく容易に位置調整することができる。更に、トリガー１６２により、容易に水勢調整を行うことができる。
【００２２】
この参考例では、ジョイスティック１６１の傾斜操作を洗浄位置の調整に用いたが、以下のようにして、洗浄開始指示の洗浄ボタン（肛門洗浄ボタン、ビデ洗浄ボタン）の代用とすることもできる。即ち、制御ユニット５８は、図示しない着座センサにより使用者の着座を検出すると、このジョイスティック１６１の傾斜操作の有無を所定時間ごとに検出する。そして、この洗浄ボタンが操作される以前にジョイスティック１６１の＋Ｘ方向の傾斜操作があると、この操作を契機として洗浄位置へのノズル進出・洗浄水給水を開始し、局部洗浄を開始する。こうすれば、ジョイスティック１６１で容易に局部洗浄を開始できる。なお、短時間のうちにジョイスティック１６１が２度繰り返し＋Ｘ方向に傾斜操作された場合に、これを契機として局部洗浄を開始するようにすることもできる。こうすれば、子供のいたずら等による誤操作をより有効に回避できる。
【００２３】
次のように変形もできる。図５は、ジョイスティック１６１に替わりグラインドパッド１８０を有するノズルＸＹ調整操作部１６０の要部斜視図、図６は、ＬＣＤタッチパネル１８２を有するノズルＸＹ調整操作部１６０の要部斜視図である。
【００２４】
図５に示すグラインドパッド１８０は、そのパッド表面に指先が置かれた場合に、その指先での押圧圧力とパッド表面での指先移動方向を検知するよう構成されている。この場合、押圧圧力検知には、圧力を電気信号に変換する感圧素子が用いられ、その検出結果は制御ユニット５８に出力される。制御ユニット５８は、この結果に応じて給水ユニット５２を制御し、洗浄水水勢を調整する。つまり、トリガー１６２の操作に替わって、パッド表面の押圧程度により水勢調整がなされる。また、指先移動方向の検知には、人体の静電容量を利用したスイッチングデバイスをパッド表面にマトリックス状に配置したいわゆるマトリックススイッチが用いられる。そして、現在の指先位置からの＋Ｘ方向、−Ｘ方向、＋Ｙ方向、−Ｙ方向の移動方向が電気信号として制御ユニット５８に出力される。制御ユニット５８は、この指先移動方向に応じてノズル駆動ユニット５４あるいはノズルサブ駆動ユニット１７０を駆動制御し、局部洗浄位置をノズル前後方向あるいは左右方向に調整する。つまり、ジョイスティック１６１の傾斜操作に替わって、パッド表面での指先移動方向により洗浄位置調整がなされる。なお、このグラインドパッド１８０によれば、指先の移動方向と共にその際の移動幅も検知可能であるので、この移動幅の程度に応じて局部洗浄位置の左右方向調整量を定め、この調整量で左右調整することもできる。また、このグラインドパッド１８０によれば、指先が前後あるいは左右に連続して移動されていることも検知可能であるので、このような連続移動があった場合には、ノズルを前後あるいは左右に往復動させながら局部洗浄を実施することもできる。更に、肛門洗浄ボタンの操作より先にこのグラインドパッド１８０に指先が置かれれば、この指先載置の契機として局部洗浄を開始することもできる。この場合、グラインドパッド１８０への指先載置が短時間のうちに２度繰り返されると局部洗浄を開始するようにすれば、誤操作回避の上から好ましい。
【００２５】
図６に示すＬＣＤタッチパネル１８２は、グラインドパッド１８０と同様に感圧素子やマトリックススイッチにより指先での押圧圧力と指先移動方向並びにその移動幅を検知し、その検知結果を制御ユニット５８に出力する。よって、グラインドパッド１８０と同様に、洗浄水水勢の調整と局部洗浄位置の前後・左右調整を行うことができる。また、このパネル表面への指先載置により、局部洗浄を開始することもできる。更に、このＬＣＤタッチパネル１８２は、そのパネル表面に画像を表示することもできるので、以下の利点がある。
【００２６】
洗浄ボタンの操作やパネル表面への指先載置を経た局部洗浄の開始に先立ち、あるいは局部洗浄の実施中に、肛門洗浄位置ＫＰあるいはビデ洗浄位置ＢＰを、パネル表面に表示できる。例えば、パネル表面において、所定の色でこの洗浄位置をポイント表示できる。よって、使用者は、局部洗浄位置をこの表示ポイントを介して間接的に確認でき、この表示ポイントを目安としてその前後・左右に指先を置くことで、洗浄位置調整を実施できる。また、この洗浄位置のポイント表示と共に、パネル表面に洗浄箇所周辺の人体輪郭を概略表示できる。このようにすれば、間接的ではあるものの人体と洗浄位置の関係を認識した上で洗浄位置調整を実行できる。
【００２７】
次に、実施例について説明する。この実施例は、肛門洗浄時と女性局部洗浄時とで、洗浄水の噴出方向を異なるようにした点に特徴がある。図７は、実施例の衛生洗浄装置２００の全体構成を概略的に示す概略斜視図、図８は、この衛生洗浄装置２００における局部洗浄の様子を説明する説明図である。
【００２８】
図示するように、衛生洗浄装置２００は、便器４１上面に装着される本体部２０２を備え、その内部に、斜めに傾斜配置された肛門ノズル２０１と、このノズルを進退させるための第１ノズル駆動ユニット２０４を有する。また、上記した実施例と同様の機能を果たす給水ユニット５２や乾燥ユニット５６を有する。このほか、衛生洗浄装置２００は、便器４１の側方に位置するよう本体部２０２に裾部２０５を備え、その内部に、各ユニットの構成部材を駆動制御して局部洗浄や乾燥を実行させる制御ユニット２０６と、第２ノズル駆動ユニット２０８とを有する。
【００２９】
第１ノズル駆動ユニット２０４は、上記した実施例と同様に、肛門ノズル２０１を図示する本体部内の待機位置ＴＰと便器ボール部内の肛門洗浄位置ＫＰとの間に亘って進退させる。つまり、肛門洗浄ボタンが操作されると、第１ノズル駆動ユニット２０４は、肛門ノズル２０１を待機位置ＴＰから肛門洗浄位置ＫＰまで進出させ、給水ユニット５２からこの肛門ノズル２０１に洗浄水が給水される。よって、肛門ノズル２０１は、図８にも示すように、洗浄水をその洗浄目標である肛門に向けて斜め後方から噴出し、この噴出洗浄水により肛門洗浄が行われる。第２ノズル駆動ユニット２０８は、図示しないステッピングモータを有し、このモータ駆動を通して、ビデノズル２１０を便器ボール部内部において回動するよう構成されている。この場合、上記の肛門洗浄実行時には、第２ノズル駆動ユニット２０８がビデノズル２１０を回動させることはなく、ビデノズル２１０は、便器ボール部内の後方側周縁付近の待機位置ＴＰに位置したままである。
【００３０】
ビデノズル２１０は、裾部２０５から便器内に延びた基部２１１と、この基部から便器ボール部内に至るまで湾曲形成されたノズル部２１２と、このノズル部の先端側に設置された洗浄水噴出部２１３とを有する。ビデノズル２１０は、基部２１１を中心として回動自在とされており、基部２１１に第２ノズル駆動ユニット２０８のモータの正逆回転が伝達される。よって、ビデノズル２１０のノズル部２１２は、その待機位置ＴＰから便器前方側に向けて、基部２１１を中心に回動する。ビデノズル２１０は、制御ユニット２０６による第２ノズル駆動ユニット２０８の制御により、図８に示すように、上記の待機位置ＴＰとその前方の第１ビデ洗浄位置ＢＰ１、第２ビデ洗浄位置ＢＰ２に位置するようにされている。そして、洗浄水噴出部２１３は、これら洗浄位置において、洗浄水を基部２１１に向けて噴出する。従って、ビデノズル２１０が第２ビデ洗浄位置ＢＰ２に位置すると、着座した女性の女性局部は図８に示すように基部２１１付近にくることから、洗浄水噴出部２１３は、女性局部を斜め下方前方から指向してこの女性局部に洗浄水を噴出する。また、ビデノズル２１０が第１ビデ洗浄位置ＢＰ１に位置する場合は、洗浄水噴出部２１３は、女性局部から肛門に至るまでの人体表皮部分を下方後方から指向してこの人体表皮部分に洗浄水を噴出する。
【００３１】
この場合、図８に示すように、基部２１１を通る垂線に対して第２ビデ洗浄位置ＢＰ２がなす角度αは、約３５度とされ、第１ビデ洗浄位置ＢＰ１がなす角度βは、約３５度とされている。この角度α、βは、制御ユニット２０６に備え付けられた位置調整ボタンの操作に応じて変更可能であり、角度αは約３０〜３９度の範囲で、角度βは約３０〜３９度の範囲でそれぞれ変更される。つまり、制御ユニット２０６は、所定時間ごとにこの位置調整ボタンの操作状況をスキャンし、その操作状況に応じて女性局部洗浄の際の第２ノズル駆動ユニット２０８のモータ駆動量を調整する。これにより、ビデノズル２１０は、女性局部洗浄の際、上記の第１、第２洗浄位置を採って局部洗浄を行う。
【００３２】
次に、ノズル移動の様子を洗浄水噴出と併せて説明する。制御ユニット２０６に備え付けられたビデ洗浄ボタンが操作されると、制御ユニット２０６は、第２ノズル駆動ユニット２０８を駆動制御して、ビデノズル２１０を待機位置ＴＰから第２ビデ洗浄位置ＢＰ２まで移動させる。その後、制御ユニット２０６は、給水ユニット５２を制御してビデノズル２１０への洗浄水給水を開始し、停止ボタンが操作されるまで給水を継続する。これにより、ビデ洗浄開始当初は、女性局部にその斜め下方前方から洗浄水が噴出されて、この噴出洗浄水により女性局部洗浄が行われる。停止ボタンが操作されると、制御ユニット２０６は、給水ユニット５２を制御して給水を停止すると共に、第２ノズル駆動ユニット２０８を駆動制御してビデノズル２１０を待機位置ＴＰに復帰させる。
【００３３】
また、上記のビデ洗浄ボタンと共に所定のボタン（例えば、「しっかり洗浄ボタン」、「ムーブ洗浄ボタン」等）が操作されると、まず、制御ユニット２０６は、上記のようにビデノズル２１０を待機位置ＴＰから第２ビデ洗浄位置ＢＰ２まで移動させて洗浄水を給水し、ビデノズル２１０による女性局部洗浄を開始する。その後、制御ユニット２０６は、洗浄水給水を継続したまま、ビデノズル２１０をこの第２ビデ洗浄位置ＢＰ２に所定時間（例えば、約３〜５秒程度）だけ止め置き、次いで第２ノズル駆動ユニット２０８を駆動制御して、ビデノズル２１０を第２ビデ洗浄位置ＢＰ２と第１ビデ洗浄位置ＢＰ１との間において往復移動させる。これにより、ビデノズル２１０による女性局部洗浄時には、その主要の洗浄目標である女性局部はもとより、この女性局部より肛門側の人体表皮部分にまで洗浄水が噴出される。停止ボタンが操作されると、制御ユニット２０６は、給水ユニット５２を制御して給水を停止すると共に、第２ノズル駆動ユニット２０８を駆動制御してビデノズル２１０を待機位置ＴＰに復帰させる。なお、ビデノズル２１０を第２ビデ洗浄位置ＢＰ２に止め置くことなく、即座にビデノズル２１０を往復動させるようにすることもできる。
【００３４】
以上説明した実施例の衛生洗浄装置２００によれば、肛門洗浄の際には、肛門ノズル２０１を肛門洗浄位置ＫＰに進出させて、この肛門ノズル２０１から肛門に向けて斜め後方から洗浄水を噴出する。そして、この肛門洗浄時には、蘇生局部洗浄用のビデノズル２１０を待機位置ＴＰに退避させておく。よって、肛門ノズル２０１による肛門洗浄時の跳ね返り洗浄水をビデノズル２１０にかけることがないので、ビデノズル２１０についての衛生感を高めることができ、これを通して、ビデノズル２１０による女性局部洗浄時の不安感を解消することができる。
【００３５】
また、ビデノズル２１０による女性局部洗浄時には、その主要な洗浄目標である女性局部はもとより、女性局部より肛門側の人体表皮部分にまで洗浄水を噴出して、生理時の出血や組織老廃物をこの噴出洗浄水で洗い流す。よって、出血や組織老廃物が付着することがある広い範囲を洗浄できるので、この点からも、女性局部洗浄時の不安感を解消することができる。しかも、女性局部にその斜め下方前方から洗浄水を直接噴出する第２ビデ洗浄位置ＢＰ２と、上記の人体表皮部分にその斜め下方後方から洗浄水を噴出する第１ビデ洗浄位置ＢＰ１との間に亘ってビデノズル２１０を往復移動させながら、洗浄水を継続噴出する。よって、女性局部と上記の人体表皮部分との間を念入りに洗浄でき、生理時の出血や組織老廃物をより確実に洗い流すことができ好ましい。この際、ノズル往復動の速度を調整するボタンを設け、このボタン操作に応じてノズル移動速度を調整するようにすれば、より念入りに局部洗浄ができ好ましい。
【００３６】
更に、本実施例では、女性局部洗浄の際にノズル往復動を行うに当たり、洗浄開始当初の所定時間の間に亘っては、ビデノズル２１０を第２ビデ洗浄位置ＢＰ２に止め置いてから、このビデノズル２１０を往復移動させるようにした。よって、出血や組織老廃物がもっとも多く付着する女性局部を最初に噴出洗浄水で洗浄でき好ましい。
【００３７】
また、第１ビデ洗浄位置ＢＰ１と第２ビデ洗浄位置ＢＰ２とを調整できるようにしたので、女性局部洗浄の際の洗浄範囲を使用者である女性が所望する範囲とでき、使用感を高めることができる。更に、第１ビデ洗浄位置ＢＰ１をそのなす角βが垂線から約３０〜３９度となる位置とし、第２ビデ洗浄位置ＢＰ２をそのなす角αが垂線から約３０〜３９度となる位置とした。よって、女性局部には、その斜め下方前方から確実に洗浄水を噴出でき、この女性局部より肛門側の人体表皮部には、その斜め下方後方から確実に洗浄水を噴出できる。
【００３８】
この実施例の衛生洗浄装置２００は、肛門ノズル２０１とビデノズル２１０について、上記の衛生洗浄装置４０Ａのように、局部洗浄位置をＸ方向・Ｙ方向に調整するように変形できる。この場合、洗浄位置調整指示を制御ユニット２０６に出力するには、衛生洗浄装置４０Ａと同様にノズルＸＹ調整操作部１６０とジョイスティック１６１あるいはグラインドパッド１８０、ＬＣＤタッチパネル１８２を裾部２０５に設ければよい。肛門ノズル２０１のＸ方向位置調整は第１ノズル駆動ユニット２０４の駆動量調整を行えばよく、Ｙ方向位置調整については、衛生洗浄装置４０Ａと同様にノズルサブ駆動ユニット１７０を配設すればよい。そして、ビデノズル２１０のＸ方向位置調整は第２ノズル駆動ユニット２０８の駆動量調整を行えばよく、Ｙ方向位置調整は、例えば以下のように構成すればよい。
【００３９】
図９は、実施例の変形例におけるビデノズル２１０の先端部をその内部を透視して概略的に表した要部概略透視斜視図、図１０は、その５１−５１線概略断面図である。これら図面に示すように、ビデノズル２１０の先端部は、噴出口駆動ユニット２２０が収納配置される収納空所２１４とされている。なお、この噴出口駆動ユニット２２０の配置の際は、先端部蓋体２１５が外され、収納空所２１４が開放される。
【００４０】
噴出口駆動ユニット２２０は、収納空所２１４から外部に突出した洗浄水噴出駒２２１を備える。そして、噴出口駆動ユニット２２０は、この洗浄水噴出駒２２１を図示する＋Ｙ、−Ｙ方向（便器左右方向）に移動することで、女性局部の洗浄位置（ビデ洗浄位置ＢＰ）を便器左右方向に調整すべく以下の構成を有する。なお、図９，５１は、洗浄水噴出駒２２１が−Ｙ方向に移動した状態を示している。
【００４１】
噴出口駆動ユニット２２０は、洗浄水噴出駒２２１が長穴状の案内孔２１６に沿って便器左右方向に移動できるよう、この洗浄水噴出駒２２１をその両側で板バネ２２２により支持する。この板バネ２２２は、洗浄水噴出駒２２１が−Ｙ方向に移動すると、この洗浄水噴出駒２２１を＋Ｙ方向に付勢力を及ぼすようにされている。洗浄水噴出駒２２１は、その下端に連設された円筒体部２２１ａと、貫通形成された噴出孔２２１ｂを有する。そして、この噴出孔２２１ｂには、収納空所２１４の仕切壁２１７からの伸縮配管２２１ｃが固定されている。よって、仕切壁２１７に至るまでのノズル内流路２１８を通過した洗浄水は、洗浄水噴出駒２２１の噴出孔２２１ｂから噴出される。
【００４２】
また、噴出口駆動ユニット２２０は、防水処置が施された噴出駒駆動モータ２２３と、そのモータ出力軸２２３ａに偏心して嵌合固定された偏心カム２２４とを有する。この偏心カム２２４は、その外縁カム部を洗浄水噴出駒２２１の円筒体部２２１ａに当接するようにされている。よって、噴出駒駆動モータ２２３の回転に伴って偏心カム２２４が回転すると、洗浄水噴出駒２２１は、偏心カム２２４の外縁カム部に倣って案内孔２１６に沿って便器左右方向に移動する。より詳しく説明すると、図示するように偏心カム２２４の厚肉側の外縁カム部が洗浄水噴出駒２２１と相対した状態から噴出駒駆動モータ２２３が回転すると、偏心カム２２４はその外縁カム部が洗浄水噴出駒２２１から離れる側に回転する。しかし、板バネ２２２が洗浄水噴出駒２２１に上記の付勢力を及ぼすので、洗浄水噴出駒２２１は、外縁カム部に倣うように案内孔２１６に沿って＋Ｙ方向に移動する。また、偏心カム２２４がその外縁カム部で洗浄水噴出駒２２１を押すように回転すると、洗浄水噴出駒２２１は、外縁カム部に倣うようにして案内孔２１６に沿って−Ｙ方向に移動する。こうして、洗浄水噴出駒２２１は、案内孔２１６の中央を中心に、＋Ｙ方向・−Ｙ方向に沿って移動する。なお、噴出駒駆動モータ２２３を連続で回転駆動すれば、洗浄水噴出駒２２１は、案内孔２１６の中央を挟んで左右に繰り返し往復移動するので、洗浄水噴出駒２２１からは、左右に繰り返し往復移動するように洗浄水が噴出される。
【００４３】
次に、この変形例におけるビデ洗浄の際の洗浄位置左右調整の様子について説明する。この変形例にあっても、ビデ洗浄ボタンが操作されると、上記の第６実施例と同様に、図８に示す第１ビデ洗浄位置ＢＰ１と第２ビデ洗浄位置ＢＰ２の間でビデノズル２１０を往復動させつつ洗浄水給水を行ってビデ洗浄を実施することに変わりはない。しかし、この洗浄動作の間に、この変形例では、制御ユニット２０６が所定時間ごとにジョイスティック１６１等の操作状況を割り込み検知し、その結果に応じて以下のようにしてビデ洗浄についての洗浄位置調整を行う。
【００４４】
上記のビデ洗浄の間に、ジョイスティック１６１が＋Ｙ方向（図１参照）に操作されたとすると、制御ユニット２０６は、このスティック操作量に応じて噴出口駆動ユニット２２０の噴出駒駆動モータ２２３を駆動制御する。これにより、偏心カム２２４の回転を経て洗浄水噴出駒２２１の位置が＋Ｙ方向に調整され、この洗浄水噴出駒２２１から洗浄水を噴出してビデ洗浄を継続する。なお、ビデノズル２１０は上記両ビデ洗浄位置の間を継続して往復移動する。ジョイスティック１６１が−Ｙ方向に操作された場合も同様であり、この場合は−Ｙ方向に移動後の位置で洗浄水噴出駒２２１から洗浄水が噴出される。
【００４５】
以上説明した変形例によっても、局部洗浄位置を便器における前後方向と左右方向にきめ細かく調整でき好ましい。しかも、ビデノズル２１０の往復移動を介して広範囲なビデ洗浄を行っている場合でも、その洗浄位置を左右方向に調整できるので、ビデ洗浄の際の洗浄感や使用感を高めることができる。
【００４６】
以上本発明の実施例について説明したが、本発明は上記の実施例や実施形態になんら限定されるものではなく、本発明の要旨を逸脱しない範囲において種々なる態様で実施し得ることは勿論である。
【００４７】
例えば、実施例のビデノズル２１０を、細菌生育の障害となる金属（Ａｇ、Ｎｉ・Ｃｒ合金等）の微粒子を洗浄水噴出口周辺にコーティングしたものとできる。こうすれば、噴出口周辺に細菌を生育しにくくできるので、ビデノズルについての清潔感が増して安心感がより高まり好ましい。また、上記のビデノズルを、洗浄水噴出口周辺に光触媒の微粒子をコーティングしたものとできる。この光触媒は、照射された光のエネルギにより励起電子と正孔を生成して触媒として機能し、触媒表面の水分又は水分と酸素の存在下での水酸ラジカルの生成を経て水酸基を生成するものである。このような光触媒がコートされたビデノズルでは、コート領域表面に光照射下で常に水酸基を高密度で存在させて当該表面を高い親水性表面とすることができる。よって、洗浄水噴出口周辺に汚れが付着しても、セルフクリーニングの際にかけられた洗浄水によりこの汚れを速やかにかつ確実に除去できるので、ビデノズルについての清潔感がより一層増大して安心感が一層高まり好ましい。この光触媒としては、ＴｉＯ２やＺｎＯ，ＳｎＯ２等を挙げることができ、ＴｉＯ２はその調達が容易である点で好ましい。
【図面の簡単な説明】
【００４８】
【図１】参考例の衛生洗浄装置４０Ａを便器と共に示す概略斜視図である。
【図２】この参考例の構成を表すブロック図である。
【図３】ノズルの洗浄位置を便器左右方向に対して調整するノズルサブ駆動ユニット１７０の概略構成図である。
【図４】このノズルサブ駆動ユニット１７０による洗浄位置の調整の様子を説明する説明図である。
【図５】ジョイスティック１６１に替わりグラインドパッド１８０を有するノズルＸＹ調整操作部１６０の要部斜視図である。
【図６】ＬＣＤタッチパネル１８２を有するノズルＸＹ調整操作部１６０の要部斜視図である。
【図７】実施例の衛生洗浄装置２００の全体構成を概略的に示す概略斜視図である。
【図８】この衛生洗浄装置２００における局部洗浄の様子を説明する説明図である。
【図９】実施例の変形例におけるビデノズル２１０の先端部をその内部を透視して概略的に表した要部概略透視斜視図である。
【図１０】その５１−５１線概略断面図である。
【符号の説明】
【００４９】
４０Ａ...衛生洗浄装置
４１...便器
４１ａ...便器ボール部
４２...本体ベース
４３...ユニット群
４４...便座
４５...便蓋
４６...本体カバー
４７...便器洗浄水タンク
５０...ノズルユニット
５１...支持プレート
５１ａ...支持駒
５１ｂ...ギヤ
５２...給水ユニット
５４...ノズル駆動ユニット
５６...乾燥ユニット
５８...制御ユニット
５８Ａ...電子制御装置
１６０...ノズルＸＹ調整操作部
１６１...ジョイスティック
１６２...トリガー
１７０...ノズルサブ駆動ユニット
１７１...ノズルユニット支持部
１７２...モータ
１７２ａ...ドライブギヤ部
１７２ｃ...ギヤプレート
１７３...凹所
１８０...グラインドパッド
１８２...ＬＣＤタッチパネル
２００...衛生洗浄装置
２０１...肛門ノズル
２０２...本体部
２０４...第１ノズル駆動ユニット
２０５...裾部
２０６...制御ユニット
２０８...第２ノズル駆動ユニット
２１０...ビデノズル
２１１...基部
２１２...ノズル部
２１３...洗浄水噴出部
２１４...収納空所
２１５...先端部蓋体
２１６...案内孔
２１７...仕切壁
２１８...ノズル内流路
２２０...噴出口駆動ユニット
２２１...洗浄水噴出駒
２２１ａ...円筒体部
２２１ｂ...噴出孔
２２１ｃ...伸縮配管
２２２...板バネ
２２３...噴出駒駆動モータ
２２３ａ...モータ出力軸
２２４...偏心カム
ＢＰ...ビデ洗浄位置
ＢＰ１...第１ビデ洗浄位置
ＢＰ２...第２ビデ洗浄位置
ＫＰ...肛門洗浄位置
ＴＰ...待機位置
【図１】
2005282357.tif 000003
【図２】
2005282357.tif 000004
【図３】
2005282357.tif 000005
【図４】
2005282357.tif 000006
【図５】
2005282357.tif 000007
【図６】
2005282357.tif 000008
【図７】
2005282357.tif 000009
【図８】
2005282357.tif 000010
【図９】
2005282357.tif 000011
【図１０】
2005282357.tif 000012